(57)【要約】【課題】所定の中心位置を回転中心として画像が相対的に回転するとき、表示される画像の品位を向上させることのできる配置構造を有するディスプレイおよびこのディスプレイを使用して画像を表示する表示装置を提供する。【解決手段】ディスプレイ２０１は、所定の中心点に存在する中心表示用セル２２１と、中心点から放射状に配置された直線で同心円を仕切った第１周〜第７周表示用セル２２２〜２２８と、更に外部に配置された同心円と前記した直線の間に１本ずつ直線を足して同心円をより多く仕切った第８周〜第１４周表示用セル２２９〜２３５等の表示用セルで構成されている。したがって、中心を通過する直線を表示する際にその方向における表示用セルの欠けが発生しない。【選択図】図５
2007114569.tif 000002
【特許請求の範囲】
【請求項１】
中心に配置された半径ａの円形をした第１の表示用セルと、
この第１の表示用セルの中心から半径ａだけ離れた位置から長さｂ（ｂは任意の正の値）ずつ遠ざかる方向のそれぞれの位置に前記半径ａの円形に対する同心円が存在すると仮定したときに、前記第１の表示用セルの外側の最初のｃ個（ｃは１以上の整数）の同心円によって区切られたそれぞれのリング状の領域を、互いに等しい角度ずつ前記第１の表示用セルの中心を一端とするｄ本（ｄは２以上の整数）の直線で分割したときのそれぞれの区画に個別に配置された第２の表示用セルと、
前記ｃ個の同心円の更に外側に前記同心円と同一間隔を置きながら同心円をｅ個（ｅは１以上の整数）描くたびに前記第１の表示用セルの中心を一端とする隣接する２つずつの直線の間のリング状の領域を、互いに等しい角度ずつ前記第１の表示用セルの中心を一端とする新たなｆ本（ｆは１以上の整数）の直線によって分割することで、数値（ｆ＋１）ずつ前記ｅ個の同心円とこれらの直線によって仕切られる区画を増加させていったとき、それぞれの増加された区画に配置された第３の表示用セル
とを具備することを特徴とするディスプレイ。
【請求項２】
請求項１記載のディスプレイと、
前記ディスプレイの第１〜第３の表示用セルを、対応する位置の画像データに応じて独立して駆動する表示駆動手段
とを具備することを特徴とする表示装置。
【請求項３】
請求項１記載のディスプレイと、
このディスプレイの前記第１の表示用セルの回転角を検出する回転角検出手段と、
前記ディスプレイの第１〜第３の表示用セルを、対応する位置の画像データに応じて独立して駆動する表示駆動手段と、
前記回転角検出手段の検出した回転角に相当する角度だけ前記画像データを逆方向に回転させる補正を行う画像データ補正手段
とを具備することを特徴とする表示装置。
【請求項４】
請求項１記載のディスプレイと、
このディスプレイの重力方向を検出する重力方向検出手段と、
前記ディスプレイの第１〜第３の表示用セルを、対応する位置の画像データに応じて独立して駆動する表示駆動手段と、
前記重力方向検出手段の検出した重力方向が前記画像データの重力方向と一致するように画像データを回転させる補正を行う画像データ補正手段
とを具備することを特徴とする表示装置。
【請求項５】
前記ディスプレイはメインディスプレイ以外のディスプレイとして携帯端末に組み込まれていることを特徴とする請求項２〜請求項４いずれかに記載の表示装置。
【請求項６】
地磁気センサを備え、この地磁気センサの検出結果を基にして、前記メインディスプレイ以外のディスプレイにコンパスを表示することを特徴とする請求項５記載の表示装置。
【発明の詳細な説明】
【技術分野】
【０００１】
本発明は、各種の情報を視覚的に表示するデバイスとしてのディスプレイとこのディスプレイを備えて画像を表示する表示装置に係わり、特にある角度範囲で回転しながら、あるいはある角度回転した画像を表示するのに適したディスプレイおよび表示装置に関する。
【背景技術】
【０００２】
身の回りには、テレビジョン、パーソナルコンピュータのディスプレイ、携帯電話機のディスプレイあるいは腕時計の表示部といったように多くの表示装置が活躍している。このような表示装置の多くは、長方形あるいは正方形の画面を備えた四角に角ばったディスプレイを備えている。
【０００３】
このような角ばったディスプレイを備えた表示装置は、工業的に製造しやすいという利点がある。また、たとえば四角形のディスプレイであれば、広い板状の素材から表示領域を無駄なく切り出せる可能性が高い。したがって、たとえば円形のディスプレイを切り出す場合と比較すると、無駄な部分がなく、その分、単価を引き下げることができる。
【０００４】
ところで、図１４は人間の目を表わしたものである。目１０１は、円形のいわゆる黒目１０２の中心に、同じく円形の瞳孔１０３を有している。この瞳孔１０３から入射した光が、黒目１０２を構成するアイリスの背後に配置された図示しないレンズ状の水晶体によって収束し、同じく図示しない網膜に画像を結ぶ。したがって、人間の１つ１つの目の視野は四角形ではなく、ほぼ円形の領域になっている。このため、円形あるいはこれに近い形のディスプレイを備えた表示装置は人間との相性がよいことになる。
【０００５】
円形のディスプレイを有する代表的な工業製品として腕時計が存在している。腕時計は、その主流が機械式の装置であったとき、時刻を表示するための針を文字盤の中で回転させている。その歴史的な経緯から、時計の多くがディジタル化された今日においてもディスプレイは円形となっているのが通常である。腕時計がディジタル化されてディスプレイが液晶や有機ＥＬ（organic electroluminescence）となると、ある種の機種ではここに機械式の腕時計の秒針等の回転する針の映像を表示するような工夫を行っている。
【０００６】
ところが、従来のこのようなディスプレイでは、個々の表示素子（表示用セル）がマトリックス状に配置された構成となっている。したがって、回転位置によって、秒針のように細い線状の画像の太さが変わり、不自然な画像表示になるという問題がある。
【０００７】
図１５および図１６は、表示用セルがマトリックス状に配置されている場合の回転角によって直線状の細線の画像の外観が相違する例を表わしたものである。これらの図で垂直方向および水平方向のライン１１１、１１２で区切られた１つ１つの正方形は、表示用セル１１３を表わしている。このため、１画素ずつを１つの方向に並べて直線状の細線を表現したとすると、これが水平方向となる図１５と４５度の角度となった図１６では大きく異なった画像となってしまう。すなわち、図１５に示した画像の方は細線１１４を構成する表示用セル１１３が太さを変えずに連続した帯状のものとして表現されているのに対して、図１６に示した画像の方は細線１１５を構成する表示用セル１１３が周期的に太さを零から特定の太さまで変化させる断続的なものとなっており、ギザギザとした画像となってしまう。すなわち、マトリックス状に表示用セルを配置したディスプレイでは、回転角によって、表示される画像が大きく変化することになる。
【０００８】
そこで、表示用セルを四角形にしてこれらをマトリックス状に配置する配置構造を採用するのではなく、表示用セルを正六角形としてこれらを同心円状に配置することが提案されている（たとえば特許文献１参照）。
【０００９】
図１７は、この提案の表示用セルが組み合わされた状態を表わしたものである。中心に１つの表示用セル１２１が配置され、これを中心としてその周囲に同心円状（リング状）に第１の表示用セル１２２がリング状に６個配置され、更にその周囲に第２の表示用セル１２３が同心円状に１２個配置されている。以下、同様である。
【特許文献１】特開２００２−１４３００号公報（第００１７段落、図４）。
【発明の開示】
【発明が解決しようとする課題】
【００１０】
この図１７に示した提案では、中心の表示用セル１２１を構成する６個の辺のいずれかと直交すると共に表示用セル１２１の中心を一端とする破線１３１〜１３６で示す６つの角度方向（直線１３１を０度とすると、０度、６０度、１２０度、１８０度、２４０度、３００度の各方向）にのみ、表示用セル１２１、１２２、１２３、……を使用した直線が途切れなく表現される。したがって、図１５に示したような表示用セル１１３が４つの角度方向（０度、９０度、１８０度、２７０度の各方向）に直線が途切れなく表現される場合と比べると、直線が途切れなく表現される角度が増加するという利点がある。しかしながら、これら以外の角度で細い直線を表わす場合には先の正方形の表示用セル１１３と同様の問題が発生する。
【００１１】
図１８は、図１７における２つの破線１３３、１３４の中間方向を表わす直線の一部を示したものである。このように、この例の方向では直線を表示するつもりでも直線か点線か分からないような線分が表現されることになる。したがって、ディスプレイ上で細い線分を回転させていったとすると、図１７に示した正六角形の表示用セル１２１、１２２、……を使用した場合にも回転角によって、表示される画像が大きく変化してしまい、画像の品位が大きく低下することになる。
【００１２】
以上の説明では、固定されたディスプレイに、回転する細い線分からなる画像が表示される場合の不具合を説明した。これとは逆にディスプレイが回転するときでも、ディスプレイ内の画像を水平に対して常に一定になるように画像に補正をかけた場合、ディスプレイの回転に応じて細い線分の画像の表示態様が変化してしまい、画像の品位が大きく低下するという同様の不都合を発生させる。更に、以上は直線状の線分を画像として表示する場合を説明したが、通常の２次元画像も同様に各表示位置での表示態様がばらつくことを考えると、相対的な回転位置によって画像の品位が大きく低下するという不都合を発生させることになる。
【００１３】
そこで本発明の目的は、所定の中心位置を回転中心として画像が相対的に回転するとき、表示される画像の品位を向上させることのできる配置構造を有するディスプレイおよびこのディスプレイを使用して画像を表示する表示装置を提供することにある。
【課題を解決するための手段】
【００１４】
本発明では、（イ）中心に配置された半径ａの円形をした第１の表示用セルと、（ロ）この第１の表示用セルの中心から半径ａだけ離れた位置から長さｂ（ｂは任意の正の値）ずつ遠ざかる方向のそれぞれの位置に半径ａの円形に対する同心円が存在すると仮定したときに、第１の表示用セルの外側の最初のｃ個（ｃは１以上の整数）の同心円によって区切られたそれぞれのリング状の領域を、互いに等しい角度ずつ第１の表示用セルの中心を一端とするｄ本（ｄは２以上の整数）の直線で分割したときのそれぞれの区画に個別に配置された第２の表示用セルと、（ハ）ｃ個の同心円の更に外側に前記した同心円と同一間隔を置きながら同心円をｅ個（ｅは２以上の整数）描くたびに第１の表示用セルの中心を一端とする隣接する２つずつの直線の間のリング状の領域を、互いに等しい角度ずつ第１の表示用セルの中心を一端とする新たなｆ本（ｆは１以上の整数）の直線によって分割することで、数値（ｆ＋１）の倍数ずつｅ個の同心円とこれらの直線によって仕切られる区画を増加させていったとき、それぞれの増加された区画に配置された第３の表示用セルとをディスプレイに具備させる。
【００１５】
すなわち本発明（請求項１記載の発明）では、ディスプレイの中心に配置された半径ａの円形をした第１の表示用セルの周りに放射状に第２および第３の表示用セルを配置する。ここで第２の表示用セルはｃ個の同心円と、隣接するもの同士が互いに等しい角度を有し前記した中心を一端とするｄ本の直線で分割されたそれぞれの区画に個別に配置されている。また、第３の表示用セルは、第２の表示用セル用のｃ個の同心円の外側にｅ個ずつ存在する同心円を放射状に配置された直線で分割することによって生じる区画にそれぞれ配置されるが、第３の表示用セルを区切る直線は第２の表示用セル用のｃ個の同心円の外側にｅ個ずつ存在する同心円単位で増加するようになっている。その増加の様子は、第２の表示用セルを区切ったｄ本の直線のそれぞれ隣接するものを、第１の表示用セルの中心を新たに通過するｆ本（ｆは１以上の整数）の直線によって分割することで数値（ｆ＋１）の倍数ずつ元の２つの直線の間の表示用セルを増加させるようになっている。同心円をｅ個ずつ増加させるたびに、その直前に増加させたｅ個の同心円を分割した放射状の直線の隣接する２本ごとに新たにｆ本の直線によって分割し、このようにして同心円の外側に行くほど、直線によって分割されてなる表示用セルの数が量子的に増加することになる。
【００１６】
また、本発明では、（イ）請求項１記載のディスプレイと、（ロ）ディスプレイの第１〜第３の表示用セルを、対応する位置の画像データに応じて独立して駆動する表示駆動手段とを表示装置に具備させる。
【００１７】
すなわち本発明では、請求項１記載の発明で示した配置構造のディスプレイの表示用セルのそれぞれを画像データに対応させて表示駆動させることで円形のディスプレイへの画像データの表示を可能にしている。なお、画像データが矩形のフレームとして送られてくれば円形のディスプレイの矩形部分にのみ画像データが表示されることになる。これに対して、画像データが円形のフレームとして送られてくれば、円形のディスプレイの全面に画像を表示することが可能になる。
【００１８】
また、本発明では、（イ）請求項１記載のディスプレイと、（ロ）このディスプレイの第１の表示用セルの回転角を検出する回転角検出手段と、（ハ）ディスプレイの第１〜第３の表示用セルを、対応する位置の画像データに応じて独立して駆動する表示駆動手段と、（ニ）回転角検出手段の検出した回転角に相当する角度だけ画像データを逆方向に回転させる補正を行う画像データ補正手段とを表示装置に具備させる。
【００１９】
すなわち本発明では、請求項１記載の発明で示した配置構造のディスプレイの表示用セルのそれぞれを画像データで表示駆動する際に、第１の表示用セルの回転角を検出して、検出した回転角に相当する角度だけ画像データを逆方向に回転させる補正を行ってディスプレイの表示を行う。したがって、たとえばこのディスプレイを頭部に装着したときに顔を傾けても、画像データにおける水平方向あるいは垂直方向が保たれるような表示が行われる。
【００２０】
また、本発明では、（イ）請求項１記載のディスプレイと、（ロ）このディスプレイの重力方向を検出する重力方向検出手段と、（ハ）ディスプレイの第１〜第３の表示用セルを、対応する位置の画像データに応じて独立して駆動する表示駆動手段と、（ニ）重力方向検出手段の検出した重力方向が画像データの重力方向と一致するように画像データを回転させる補正を行う画像データ補正手段とを表示装置に具備させる。
【００２１】
すなわち本発明では、請求項１記載の発明で示した配置構造のディスプレイの表示用セルのそれぞれを画像データで表示駆動する際に、ディスプレイの重力方向を検出して、この検出した重力方向が画像データの重力方向と一致するように画像データを回転させる補正を行うことにした。これにより、ディスプレイを任意の方向に傾けて、たとえば台や机の上においても、常に上になるべき画像部分が上に表示されるので、画像の把握が容易になる。
【発明の効果】
【００２２】
以上説明したように本発明によれば、ディスプレイの表示単位としての表示用セルが放射状に配置されている。したがって、時計の秒針のように１点を支点として回転する細線をその回転角に係わらず高品位に表示することができる。特に円の中心に第１の表示用セルが配置されているので、中心を通過するような線分についても画像が断続的に欠落するおそれがない。したがって、円内で直線を回転させたり、反対に円を回転させたときにその内部の直線等の画像を静止したように見せる画像処理を行ったとき、これらの表示を高品位に行うことができる。
【発明を実施するための最良の形態】
【００２３】
以下実施例につき本発明を詳細に説明する。
【実施例１】
【００２４】
図１は、本発明の一実施例における表示装置の概要を表わしたものである。この表示装置２００は、円形をしたディスプレイ２０１と、このディスプレイ２０１を駆動する駆動回路２０２と、外部から一般的な映像信号２０３を入力してディスプレイ２００に表示するための専用の信号に変換して駆動回路２０２に与える信号入力回路２０４とから構成されている。
【００２５】
図２および図３は、ディスプレイの表示領域と送られてくる１フレームの画像との関係を例示したものである。図２に示した例では、１フレームの画像領域２１１が矩形状をしており、ディスプレイ２０１の全領域に包含されている。この場合、従来と同様に図１に示した表示装置２００は矩形の表示部２１２を備えている。１フレームの画像は、この表示部２１２ですべて表示される。ディスプレイ２０１のこれ以外の領域２１３1〜２１３4は、実際にはマスクされており、表示に役立たない。したがって、これらの領域２１３1〜２１３4の全部または一部を省略してディスプレイ２０１を製造することができる。
【００２６】
図３に示した例では、ディスプレイ２０１の全領域に画像を表示するため、矩形をした１フレームの画像領域２１４内にディスプレイ２０１の表示領域のすべてが含まれている。このように従来の矩形をしたフレーム画像をそのまま使用して、本実施例のディスプレイ２０１に画像を表示することができる。
【００２７】
図４はこれに対して、映像信号の各フレームが円形をしている場合を示したものである。後に示すディスプレイにおける表示用セルと同一配置の光電変換素子を使用したり、あるいは各走査線Ｓ1、Ｓ2、Ｓ3、……の長さを円の上端ＰSから下端ＰEに移動するのに従って、円形のフレーム２１５を水平方向にそれぞれ切断する長さに設定することで、ラスタスキャンによる円形のフレーム画像を得ることができる。
【００２８】
図５は、円形のディスプレイにおける表示用セルの配置を示したものである。ただし、この図ではディスプレイ２０１に対して表示用セルの大きさを相対的に大きく描いている。この図に示すようにディスプレイ２０１には、その中心に円形の中心表示用セル２２１を配置している。この中心表示用セル２２１の半径をＲとする。中心表示用セル２２１の外側に、半径２Ｒの同心円を描いて、この同心円と中心表示用セル２２１の外周とに挟まれたリング状の領域を、中心表示用セル２２１の中心を通過する線分でそれぞれ２２．５度ずつ１６等分したときのそれぞれの表示用セルを第１周表示用セル２２２（２２２1〜２２２16）とする。また、１６個の第１周表示用セル２２２1〜２２２16の外側に、半径３Ｒの同心円を描いて、この同心円と１６個の第１周表示用セル２２２1〜２２２16の外周とに挟まれたリング状の領域を、前記した線分でそれぞれ２２．５度ずつ１６等分したときのそれぞれの表示用セルを第２周表示用セル２２３（２２３1〜２２３16）とする。以下、同様である。
【００２９】
ただし、ディスプレイ２０１の外側の周にいくほど、１つ１つの表示用セルのサイズ、すなわち円周方向の円弧の長さが大きくなっていく。これにより、円弧の方向あるいは円周方向における画像の解像度がディスプレイ２０１の外側に存在するものほど低下することになる。そこで、このような不都合を解消するために、本実施例のディスプレイ２０１では、図５に示した例で第７周表示用セル２２８（２２８1〜２２８16）の外側に、前記した線分で１６分割し、更にこれらの線分の中間位置で１６分割することで、それぞれ１１．２５度ずつ３２等分した第８周表示用セル２２９（２２９1〜２２９32）を配置している。以下同様であり、このようにリング状の領域を順次３２分割して表示用セルを配置していった後、必要によりそれよりも外側の図示しないリング状の領域を今度は６４分割することになる。以下同様である。
【００３０】
このような構成の表示用セル２２１、２２２、２２３、……を配置したディスプレイ２０１は、最外周でリング状の領域を分割した分割数をＮとすると、次の（１）式で示す角度θを最小単位とする回転角度で細線を表示することができる。
θ＝３６０÷Ｎ  ……（１）
【００３１】
たとえば図５と同一構成で中心表示用セル２２１の最も外側の第１４周表示用セル２３５（２３５1〜２３５32）が３２分割されているディスプレイ２０１では、１１．２５度ずつの回転角度で細線を表現できる。もちろん、実際の装置に使用する表示装置の多くは、１つ１つの表示用セルが微小であり、分割数Ｎは図５に示した例よりもかなり多くなる場合が通常である。したがって、このようなディスプレイでは、図５に示した例よりも更に細かい回転角度で細線を表示することができる。
【００３２】
図６は、図５に示したディスプレイで、垂直方向のある線分を表わしたものであり、図７は図６よりも時計方向に１１．２５度回転した線分を表わしたものである。このように隣接する２つの線分２３１、２３２は、共に途切れがない連続的な画素として表現されている。
【００３３】
次に本発明の表示装置の製品への適用例の幾つかを示す。
【００３４】
＜第１の適用例＞
【００３５】
図８および図９は、携帯電話機のサブディスプレイとして本発明の表示装置を適用した例を示している。折り畳み型の携帯電話機３０１のサブディスプレイ３０２は、円形をしており、液晶や有機ＥＬで構成されている。通常の場合、このサブディスプレイ３０２には図８に示すようにアナログ式の時計が時、分、秒を表示している。サブディスプレイ３０２は、図５に示した円形のディスプレイ２０１を使用しているので、細い秒針３０３であっても高品位に表示することができる。
【００３６】
図９は、同一の携帯電話機３０１のサブディスプレイ３０２に方位を表示した例を示している。この携帯電話機３０１は図示しない地磁気センサを備えており、磁石を使用したコンパスと同様に方位表示モードで方位を表示することができる。微妙な方位の変動もサブディスプレイ３０２の使用により可能となる。
【００３７】
＜第２の適用例＞
【００３８】
図１０は、腕時計に本発明の表示装置を適用した例を示している。腕時計３１１の円形のディスプレイ３１２は、液晶や有機ＥＬで構成されている。この部分は図５に示した円形のディスプレイ２０１を使用している。また、この腕時計３１１は重力の方向を検知する図示しない重力センサと体温を検知する温度センサを備えている。したがって、腕時計を外して図１０に示したように文字盤がほぼ９０度回転したような状態に配置しても、時計の表示情報を回転させて、正午の位置のマーク３１３が常に上に向くように表示形態を変更することができる。
【００３９】
すなわちユーザが腕時計３１１を腕から外して温度センサが温度の低下を検知すると、重力センサが重力の方向を検知して、これと反対の方向に正午の位置のマーク３１３が配置されるように円形の画像を回転させる。図５に示した円形のディスプレイ２０１は、画像が円の中心を中心として回転しても画質が劣化しないので、図８に示した携帯電話機３０１のサブディスプレイ３０２と同様にアナログ式の時計を高品位に表示することができる。
＜第３の適用例＞
【００４０】
図１１は、ヘッドマウントディスプレイ装置に本発明を適用した場合を示したものである。ユーザ３２１の頭部には、右目の前方にディスプレイ３２２を配置したヘッドマウントディスプレイ装置３２３が取り付けられている。ヘッドマウントディスプレイ装置３２３には、次に説明する映像処理部が格納されており、アンテナ３２４によって受信した映像信号をディスプレイ３２２に送り、映像を出力させるようになっている。ディスプレイ３２２は、図５に示した円形のディスプレイ２０１と原理的には同一のディスプレイである。
【００４１】
図１２は、映像処理部の構成を表わしたものである。映像処理部３３１は、顔の傾きを検出する傾斜検出センサ３３２と、図１１に示したアンテナ３２４から送られてきた映像信号３３３からなる映像フレームを傾斜検出センサ３３２の検出した傾斜角に応じて回転させる映像回転回路３３４と、この映像回転回路３３４で回転補正の行われた映像フレームをディスプレイ３２２に表示させる表示駆動回路３３５を備えている。したがって、たとえば傾斜検出センサ３３２が顔の面を垂直に保ったとしたときの目の瞳孔１０３（図１４参照）を中心とした角度θの傾きを検出すると、映像回転回路３３４はこの傾きだけ映像フレームを回転させる。これにより、ユーザは顔の回転にかかわらず、画像における垂直方向や水平方向を保持させることができる。
【００４２】
以上説明した各種の応用例は例示であり、本発明を各種の用途に適用することができることは当然である。また本発明の表示装置はモノクロだけでなく、カラーの表示も可能であることは当然である。
【００４３】
また、実施例では図５に示したように中心部で１６分割し、順次分割数を２倍ずつ増加させるように表示用セルを配置したが、初期的な分割数および更に円周の外周に向かったときの分割数の増加の割合はこれに限るものではない。たとえば、中心部で１０分割し、順次分割数を３倍ずつ増加させるように表示用セルを配置するといった各種の変形が可能である。
【００４４】
図１３は、本発明に基づく一般的なディスプレイの配置構造を説明するためのものである。本発明のディスプレイ４００は、中心部に半径ａの円形をした第１の表示用セル４０１が配置されている。この第１の表示用セル４０１の中心から半径ａだけ離れた位置から長さｂずつ長さが増加する位置（中心から外側に遠ざかる位置）にそれぞれ同心円４１１、４１２、……が存在すると仮定する。このとき、第１の表示用セル４０１の外側の最初のｃ個（ｃは１以上の整数）の同心円によって区切られたそれぞれのリング状の領域４２１、４２２、……をｄ個（ｄは２以上の整数）に所定の角度θずつ第１の表示用セルの中心を一端とする直線４３１1、４３１2、……４３１dで等分割したときのそれぞれの区画に個別に配置された表示用セルを第２の表示用セル４０２とする。たとえば、第１の表示用セル４０１の外周部分と同心円４１１によって区画されたリング状の領域は、直線４３１1、４３１2、……４３１dで等分割した結果、この領域にｄ個の第２の表示用セル４０２が存在することになる。なお、この図１３ではｃの値を３個としているので、第２の表示用セル４０２はディスプレイ４００の全部で３ｄ個存在することになる。
【００４５】
ｃ個の同心円の更に外側には、これらの同心円と同一間隔で同心円をｅ個（ｅは１以上の整数）描くたびに第１の表示用セル４０１の中心を一端とする隣接する２つずつの直線の間をこの中心を一端とするｆ本（ｆは１以上の整数）の直線によって等角度（θ／（ｆ＋１））ずつ分割することで、数値（ｆ＋１）ずつ、同心円と隣接する直線によって仕切られる区画を増加させていったとき、それぞれの増加された区画に第３の表示用セル４０３が配置されるようになっている。なお、図１３ではｅの値を３とし、ｆの値を２として描いている。この結果、最初のｅ個の同心円を描いたことによる第３の表示用セル４０３の総数は、図１３の場合には次の式で表わされる。
（ｆ＋１）×ｄ×ｅ
【００４６】
なお、図５に示した一例としての実施例の場合、各値は次のようになる。
ａ＝ｂ
ｃ＝７
ｄ＝１６
ｅ＝７（繰り返しは１回）
ｆ＝１
【図面の簡単な説明】
【００４７】
【図１】本発明の一実施例における表示装置の概要を表わした概略構成図である。
【図２】表示部が矩形の場合のディスプレイの表示領域と１フレームの画像との関係を表わした説明図である。
【図３】表示部が円形の場合のディスプレイの表示領域と１フレームの画像との関係を表わした説明図である。
【図４】映像信号の各フレームが円形をしている場合のラスタスキャンの様子を表わした説明図である。
【図５】円形のディスプレイにおける表示用セルの配置を示した平面図である。
【図６】図５に示したディスプレイで、垂直方向のある線分の表示される様子を示した説明図である。
【図７】図６よりも時計方向に１１．２５度回転した線分の表示される様子を示した説明図である。
【図８】本発明の第１の適用例として時計が表示された折り畳み型の携帯電話機の平面図である。
【図９】本発明の第１の適用例としてコンパスが表示された折り畳み型の携帯電話機の平面図である。
【図１０】本発明の第２の適用例としての腕時計の要部正面図である。
【図１１】本発明の第３の適用例としてのヘッドマウントディスプレイ装置をユーザの頭部に装着した状態を表わした正面図である。
【図１２】この第３の適用例における映像処理部の構成を表わしたブロック図である。
【図１３】本発明のディスプレイの一般的な構造の説明図である。
【図１４】人間の目の正面図である。
【図１５】表示用セルがマトリックス状に配置されている場合の水平方向の細線を表わした平面図である。
【図１６】表示用セルがマトリックス状に配置されている場合の４５度回転方向の細線を表わした平面図である。
【図１７】従来の提案による表示用セルが組み合わされた状態を表わした要部平面図である。
【図１８】図１７における２つの破線１３３、１３４の中間方向を表わす直線の一部を示した説明図である。
【符号の説明】
【００４８】
２００  表示装置
２０１、３１２、３２２  ディスプレイ
２０２  駆動回路
２０４  信号入力回路
２２１  中心表示用セル
２２２  第１周表示用セル
２２３  第２周表示用セル
２２４  第３周表示用セル
２２５  第４周表示用セル
２２６  第５周表示用セル
２２７  第６周表示用セル
２２８  第７周表示用セル
２２９  第８周表示用セル
２３０  第９周表示用セル
２３１  第１０周表示用セル
２３２  第１１周表示用セル
２３３  第１２周表示用セル
２３４  第１３周表示用セル
２３５  第１４周表示用セル
３０２  サブディスプレイ
３３２  傾斜検出センサ
３３４  映像回転回路
３３５  表示駆動回路
【図１】
2007114569.tif 000003
【図２】
2007114569.tif 000004
【図３】
2007114569.tif 000005
【図４】
2007114569.tif 000006
【図５】
2007114569.tif 000007
【図６】
2007114569.tif 000008
【図７】
2007114569.tif 000009
【図８】
2007114569.tif 000010
【図９】
2007114569.tif 000011
【図１０】
2007114569.tif 000012
【図１１】
2007114569.tif 000013
【図１２】
2007114569.tif 000014
【図１３】
2007114569.tif 000015
【図１４】
2007114569.tif 000016
【図１５】
2007114569.tif 000017
【図１６】
2007114569.tif 000018
【図１７】
2007114569.tif 000019
【図１８】
2007114569.tif 000020